(57)【特許請求の範囲】
【請求項１】
複数の単位マットを組み合わせて構成され、コートを形成するラインが、前記単位マットを組み合わせる方向に前記単位マットの数で等分したときの前記単位マットの境界位置に沿って設けられているスポーツマットであり、
前記単位マットは、前記単位マットを組み合わせる方向に所定の幅長を有する主単位マットと、前記単位マットを組み合わせる方向に前記主単位マットの幅長と異なる幅長を有する副単位マットとを備え、前記単位マットを組み合わせたときの前記単位マットの突合せ線が、前記ラインと異なる位置に設けられることを特徴とするスポーツマット。
【請求項２】
前記スポーツマットは、前記単位マットを組み合わせる方向に偶数枚の前記単位マットを備え、前記単位マットを組み合わせる方向の前記スポーツマットの中心を挟んで両側に、前記副単位マットが不均等な枚数に配置されていることを特徴とする請求項１に記載のスポーツマット。
【請求項３】
前記コートは、センターラインを前記コートの中心に更に、具備し、前記単位マットを組み合わせたときの突合せ線が前記センターラインと異なる位置に設けられていることを特徴とする請求項１又は２に記載のスポーツマット。
【請求項４】
前記単位マットは、床面上に接着されていることを特徴とする請求項１〜３のいずれか１項に記載のスポーツマット。
【請求項５】
前記単位マットは、前記単位マットの端縁に結合部材を更に、具備し、前記結合部材により、前記単位マットどうしが連結されていることを特徴とする請求項１〜３のいずれか１項に記載のスポーツマット。
【発明の詳細な説明】
【技術分野】
【０００１】
本発明は、主に、室内で用いられるスポーツマットに関する。
【背景技術】
【０００２】
室内用のスポーツマットは、表面に競技用のコートを備え、体育館の床面などに敷設されると、床面に所定の競技のコートを形成する。この種のスポーツマットの多くは、所定の幅長に形成された複数枚の単位マットから構成されている。例えば、スポーツマットは、複数の単位マットを体育館の床面に順次並べ、単位マットを接着剤で床面に貼り付けたり、単位マットの端縁に設けられたファスナで複数の単位マットを連結させて形成されている。
【０００３】
多くの競技用のコートは、前後方向および左右方向の両方向に対して対称形に形成されている。又、スポーツマットには、コートが、スポーツマットに対して前後左右共に対称となる位置に設けられている。そして、取扱いや製造上の観点から、スポーツマットを構成する各単位マットは、同一の横幅に揃えられていた。そのため従来のスポーツマットは、偶数枚の単位マットから形成したとき、センターラインと各単位マットの突合せ線とが重ねて設けられていた。
【先行技術文献】
【特許文献】
【０００４】
【特許文献１】特公平７−３６６７９号公報
【発明の概要】
【発明が解決しようとする課題】
【０００５】
単位マットを床面に接着したり、あるいは単位マットの端縁にファスナを設け、単位マットどうしをファスナで連結したとしても、単位マットの端縁が、競技中にめくれ上がってしまうことがある。
【０００６】
センターラインなどのラインは、通常白色で、スポーツマットや床面とは異なった色となっている。そこで、例えば、センターラインに重なった突合せ線に沿って、単位マットの端縁がめくれ上がると、センターラインの中央に単位マットの端縁が現れたり、センターラインの間に床面が露出してしまうことがある。
【０００７】
このように、センターラインなどのライン上で単位マットの端縁がめくれると、ラインが白いことから、ライン以外で端縁がめくれたときより、一層端縁のめくり上がりが目立っていた。
【０００８】
又、ファスナを用いて単位マットを連結させるスポーツマットの場合、ファスナの取り付け位置とセンターラインとが重ねて設けられる。そのため、センターラインの部分が、ファスナにより厚くなり、踏みつけられたとき、センターラインが容易に剥がれることがある。又、ラインの塗布により柔軟性が低下し、踏まれた際にファスナが損傷するおそれがあった。
【０００９】
本発明は、単位マットの端縁のめくれが目立たず、かつ、ラインの剥がれやファスナの損傷を生じさせ難いスポーツマットを提供することを目的とする。
【課題を解決するための手段】
【００１０】
本発明では、前記課題を解決するため、次のようにスポーツマットが構成されている。
スポーツマットは、複数の単位マットを組み合わせて構成されている。スポーツマットには、前記単位マットを組み合わせる方向に前記単位マットの数で等分したときの前記単位マットの境界位置に沿って、コートを形成するラインが設けられている。
単位マットは、単位マットを組み合わせる方向に所定の幅長を有する主単位マットと、主単位マットの幅長と異なる幅長を有する、少なくとも１つの副単位マットとからなる。
【００１１】
前記単位マットを組み合わせたとき、前記単位マットの突合せ線が、前記ラインと異なる位置に設けられる。
【発明の効果】
【００１２】
本発明によれば、単位マットの端縁がめくれたり、あるいは、端縁の位置がずれたりした場合であっても、センターラインに外観上の影響を及ぼさず、スポーツマットの劣化を外観上目立たなくできる。又、ラインの剥がれやファスナの損傷の発生を低減できる。
【図面の簡単な説明】
【００１３】
【図１】本発明の第１実施形態にかかるスポーツマットの全体を示す平面図。
【図２】同スポーツマットを、単位マットに分解した状態を示す平面図。
【図３】同単位マットを連結するときの要部を示す平面図。
【図４】第２実施形態にかかるスポーツマットの全体を示す平面図。
【発明を実施するための形態】
【００１４】
本発明の実施形態にかかるスポーツマットについて図面を参照して説明する。図１は、床１００に、第１実施形態にかかるスポーツマット１０を敷設した状態を示す平面図であり、図２は、スポーツマット１０を、単位マット１２に分解した状態を示す分解平面図であり、図３は、スポーツマット１０を構成する単位マット１２およびライン１４を示す部分平面図であり、図４は、第２実施形態にかかるスポーツマット１０ａの全体を示す平面図である。
【００１５】
＜第１実施形態＞
第１実施形態にかかるスポーツマット１０は、バトミントン用のスポーツマットであり、全体が長方形で、図１に示すように偶数枚としての４枚の単位マット１２から構成されている。スポーツマット１０の表面には、ライン１４により、コート１６が形成されている。以下、スポーツマット１０を、長方形の辺の間隔が長い方向を、長手方向、あるいは前後方向とし、辺の間隔の短い方向を、幅方向、左右方向、あるいは横方向として説明する。
【００１６】
単位マット１２は、図３に示すように基体１８と、基体１８の上に設けられた表皮体２０とを備えて形成されている。基体１８は、比較的厚さの厚い発泡合成樹脂で形成してあり、衝撃緩和性を備えている。表皮体２０は、収縮の少ないポリエステル繊維と樹脂で形成された、補強用の部材である。表皮体２０の表面には、ライン１４が所定の形状に施されている。尚、スポーツマット１０の構成は、これに限るものではない。
【００１７】
各単位マット１２の間には、ファスナ２８が設けられている。ファスナ２８は、図３に示すようにファスナテープ２４と、スライダ２６とを備えて形成されている。ファスナテープ２４は、側縁に多数の係合爪２９を有し、各単位マット１２の端縁に設けられている。スライダ２６は、一対のファスナテープ２４を通し、それぞれの係合爪２９を互いに組み付ける。これによりファスナ２８は、各単位マット１２を着脱自在に連結させる。
【００１８】
単位マット１２は、主単位マットとしての単位マット１２ａと単位マット１２ｂ、及び副単位マットとしての単位マット１２ｃと単位マット１２ｄとから構成されている。主単位マットである、単位マット１２ａと単位マット１２ｂとの２枚は、同一の幅長Ｗ１を有している。副単位マットである単位マット１２ｃと１２ｄとの２枚は、同一の幅長Ｗ２を有している。主単位マットの幅長Ｗ１は、副単位マットの幅長Ｗ２より大きい値である。主単位マット及び副単位マットは、いずれも、長手方向に同一の長さを有している。
【００１９】
各単位マット１２ａ、１２ｂ、１２ｃ、１２ｄには、ライン１４が、図２に示すように施されている。各ライン１４は、各単位マット１２ａ、１２ｂ、１２ｃ、１２ｄをそれぞれをファスナ２８で連結すると、図１に示すように上述したコート１６が構成される。
【００２０】
コート１６は、バトミントン用のコートであり、幅方向両側に、シングルスとダブルス用のサイドライン３０と３２とがそれぞれ設けられ、長手方向のそれぞれの端部に、シングルスとダブルス用のロングサービスライン３４と３６とがそれぞれ設けられている。コート１６の内側には、ショートサービスライン３８が設けてあり、ショートサービスライン３８とロングサービスライン３４との間にはセンターライン４０が設けられている。
【００２１】
各ラインは、コート１６の中心に対してコート１６の長手方向、および幅方向のいずれの方向においても対称に設けられている。又コート１６は、スポーツマット１０の中心に対してスポーツマット１０の長手方向、および幅方向のいずれの方向においても対称となる位置に設けられている。
【００２２】
したがって、センターライン４０は、スポーツマット１０およびコート１６の双方の幅方向の中央に設けられている。又、サイドライン３２及びロングサービスライン３４は、幅方向および長手方向のいずれにおいても、それぞれの方向において、スポーツマット１０の端縁からそれぞれ等しい間隔をあけて設けられている。コート１６の長手方向中央には、幅方向にネットが張られる。
【００２３】
又、各単位マット１２ａ、１２ｂ、１２ｃ、１２ｄをそれぞれをファスナ２８で連結して、図１に示すようにスポーツマット１０を構成すると、単位マット１２ａと単位マット１２ｂとの間には、突合せ線４２が、単位マット１２ｂと単位マット１２ｃとの間には、突合せ線４４が、単位マット１２ｃと単位マット１２ｄとの間には、突合せ線４６がそれぞれ形成される。これら各突合せ線４２等は、それぞれファスナ２８により着脱自在に連結されている。
【００２４】
次に、スポーツマット１０の作用、効果について説明する。
【００２５】
単位マット１２ａ、１２ｂ、１２ｃ、１２ｄを、それぞれ所定の順に並べ、各単位マット１２の端縁をファスナ２８で連結する。各単位マット１２が連結されると、スポーツマット１０の表面には図１に示すようにライン１４によりバドミントン用のコート１６が形成される。コート１６は、スポーツマット１０の中心に、前後左右対称に設けられる。したがって、スポーツマット１０には、スポーツマット１０の幅方向の中心線上に、センターライン４０が形成される。
【００２６】
又、スポーツマット１０には、各単位マット１２を連結したことにより、各単位マットの突合せ線４２、４４、４６が設けられている。単位マット１２のうちの、主単位マットである単位マット１２ａと単位マット１２ｂとの２枚は、幅長Ｗ１であり、残り２枚の副単位マットである単位マット１２ｃと単位マット１２ｄとは、幅長Ｗ２であり、Ｗ１＞Ｗ２である。そして、副単位マットは、スポーツマット１０の中心線（厳密に設定した中心線ではなく、ほぼ中央である。以下同様）の左側に２枚配置され、右側には配置されていない。したがって、スポーツマット１０の左側に、副単位マットが、右側より２枚多く配置されていることとなる。このことにより、単位マット１２ｂと単位マット１２ｃとの間で形成される突合せ線４４が、スポーツマット１０の中心線から単位マット１２ｃ側にずれた位置に配置される。
【００２７】
したがって、第１実施形態にかかるスポーツマット１０は、突合せ線４４が、センターライン４０から離れた位置に配置される。そのため、仮に、突合せ線４４に沿って、単位マット１２ｂや単位マット１２ｃの端縁がめくれ上がっても、センターライン４０の外観に影響を及ぼさない。そのため、端縁のめくれ上がりが目立たず、スポーツマット１０の劣化を実際の劣化以上に大きく目立たせることを防止できる。
【００２８】
又、センターライン４０は、ファスナ２８に重ねられていないので、ファスナ２８による段差が発生せず、センターライン４０が競技中に踏みつけられた場合でも、ファスナ２８がセンターライン４０に重ねて設けられている場合に比較して、センターライン４０の剥がれや劣化の進行を低減できる。
【００２９】
更に、センターライン４０が、ファスナ２８に重ねて設けられていないことから、ファスナ２８の部分にセンターライン４０による硬化が発生せず、ファスナ２８部分が踏みつけられた場合のファスナ２８の破損を抑制できる。
【００３０】
又、スポーツマット１０は、サイドライン３０や３２から、スポーツマット１０の幅方向端部までの距離ａ１が、図１に示すように幅方向両側で同一の値となっている。そのため、サイドライン３０より外側部分の幅が左右均等となり、競技者に違和感を生じさせない。
【００３１】
＜第２実施形態＞
図４に、第２実施形態にかかるスポーツマット１０ａを示す。スポーツマット１０ａは、第１実施形態のスポーツマット１０と同様、単位マット１２ａ、１２ｂ、１２ｃ、１２ｄから構成され、表面にライン１４によりコート１６が形成されている。以下、スポーツマット１０と同一の構成部材については、同一の符号を付し、その説明を省略する。
【００３２】
スポーツマット１０ａは、単位マット１２ａと単位マット１２ｂと単位マット１２ｃが、Ｗ３の同一の幅長であり、単位マット１２ｄが、Ｗ４の幅長である。幅長Ｗ３は、幅長Ｗ４より広い値である。
【００３３】
かかるスポーツマット１０ａによっても、スポーツマット１０ａの中心線の左側には、右側より副単位マットが１枚多く配置されているため、単位マット１２ｂと単位マット１２ｃとの突合せ線４４は、スポーツマット１０の中心線から単位マット１２ｃ側にずれた位置に設けられ、仮に突合せ線４４に沿って単位マット１２の端縁がめくれたり、ずれたりした場合でも、センターライン４０に影響がなく、スポーツマット１０の劣化を目立たなくできる。
【００３４】
更に、単位マット１２の端縁を連結するファスナ２８とライン１４とが重ねて設けられていないことから、ライン１４上にファスナ２８による段差がなく、ライン１４の剥がれやファスナ２８の損傷を抑制することができる。
【００３５】
＜第３実施形態＞
第３実施形態にかかるスポーツマット１０ｂについて説明する。この第３実施形態にかかるスポーツマット１０ｂは、第１実施形態にかかるスポーツマット１０と同様な形状である。よって、スポーツマット１０ｂを、図１を用いて説明する。スポーツマット１０ｂは、単位マット１２の端部に、ファスナが設けられておらず、単位マット１２が体育館の床１００に直接接着剤で接着させてある。
【００３６】
この第３実施形態のスポーツマット１０ｂにおいても、単位マット１２の突合せ線４４は、スポーツマット１０ｂのセンターライン４０に一致していないので、突合せ線４４において単位マット１２の端縁にめくれ上がりが生じても、センターライン４０の外観を低下させることがない。
【００３７】
センターライン４０は、床１００の上に接着された単位マット１２に形成され、ファスナによる段差が設けられないことから、競技中に踏みつけられても損傷が少なく、高い耐久性を実現できる。
【００３８】
尚、前記各実施形態においては、スポーツマット１０の表面にバトミントン競技のコート１６を描くようにしたが、コート１６はバトミントンに限らず、テニス、バレーボール、ドッチボール、その他のコートであってもよい。
【００３９】
又、前記実施形態では、スポーツマット１０の中央のセンターライン４０と単位マット１２の突合せ線４４とが一致しないように構成したが、本発明はセンターライン４０に限らず、スポーツマット１０の他のライン、例えばサイドライン３０や３２と突合せ線４２等との重なりを防止してもよい。
【００４０】
又、単位マットの数は４枚に限るものではなく、主単位マットと副単位マットの配分も、前記例に限るものではない。更に、スポーツマット１０の上の所定位置に、例えば複数の卓球台を設置して使用する場合であって、その卓球台の設置すべき位置を表示する所定のマークを各単位マットに予め描いたもので、それと突合せ線とが重ならないようにしたものでもよい。
【００４１】
又、スポーツマット１０の幅方向に分割線を設け、単位マットを長手方向に突き合せ、その突合せ線と幅方向のセンターライン等、スポーツマット１０の幅方向に設けられているラインとの一致を防止するものでもよい。
【００４２】
更に、スポーツマットは、長方形でなく、正方形やその他の形状でもよい。又、ライン１４は、直線に限らず、曲線や突合せ線に対して傾斜した線であってもよい。又、本発明のスポーツマットは、単位マットを、接着剤により床面に接着したり、ファスナによって連結させるものに限るものではない。又、スポーツマット１０は、室内用に限らず、屋外用であってもよい。
【産業上の利用可能性】
【００４３】
本発明は、複数の単位マットを組み付けて構成されるスポーツマットに用いることができる。
【符号の説明】
【００４４】
１０、１０ａ、１０ｂ…スポーツマット、１２、１２ａ、１２ｂ、１２ｃ、１２ｄ…単位マット、１４…ライン、１６…コート、１８…基体、２０…表皮、２４…ファスナテープ、２６…スライダ、２８…ファスナ、２９…係合爪、３０…サイドライン、３２…サイドライン、３４…ロングサービスライン、３８…ショートサービスライン、４０…センターライン、４２、４４、４６…突合せ線、１００…床。
【図１】
0005514862.tif 000002
【図２】
0005514862.tif 000003
【図３】
0005514862.tif 000004
【図４】
0005514862.tif 000005